(57)【要約】  実装ライン群の使用電力を制御する実装ライン電力制御装置（１００）であって、実装ラインごとに、第一期間でのデマンド電力の目標値を取得する目標値取得部（１１０）と、実装ラインごとの第一優先度を取得する優先度取得部（１２０）と、第一実装ラインの第一期間でのデマンド電力が目標値を超える場合に、第一実装ラインよりも第一優先度が低い第二実装ラインの第一期間でのデマンド電力の目標値を低減する目標値変更部（１３０）と、第二実装ラインの第一期間でのデマンド電力が低減後の目標値を超えないように、第二実装ラインが有する実装基板生産装置の第一期間での使用電力を低減する使用電力変更部（１４０）とを備える。
2011121934.tif 000002
【特許請求の範囲】
【請求項１】
部品が実装された実装基板を生産するための実装基板生産装置を有する実装ラインを複数備える実装ライン群の使用電力を制御する実装ライン電力制御装置であって、
前記実装ラインごとに、第一期間での使用電力量を示すデマンド電力の目標値を取得する目標値取得部と、
前記実装ラインごとの電力を使用する優先度である第一優先度を取得する優先度取得部と、
前記実装ライン群に含まれる第一実装ラインの前記第一期間でのデマンド電力が目標値を超える場合に、前記実装ライン群に含まれ前記第一実装ラインよりも前記第一優先度が低い第二実装ラインの前記第一期間でのデマンド電力の目標値を低減する目標値変更部と、
前記第二実装ラインの前記第一期間でのデマンド電力が低減後の目標値を超えないように、前記第二実装ラインが有する実装基板生産装置の前記第一期間での使用電力を低減する使用電力変更部と
を備える実装ライン電力制御装置。
【請求項２】
前記第二実装ラインは、複数の前記実装基板生産装置を有しており、
前記優先度取得部は、前記実装基板生産装置ごとの電力を使用する優先度である第二優先度を取得し、
前記使用電力変更部は、前記第二実装ラインの前記第一期間でのデマンド電力が低減後の目標値以下になるまで、前記第二実装ラインに含まれる複数の実装基板生産装置のうち、前記第二優先度が低い順に、前記第一期間での使用電力が低減される実装基板生産装置である電力低減装置を決定し、決定した前記電力低減装置の前記第一期間での使用電力を低減する
請求項１に記載の実装ライン電力制御装置。
【請求項３】
前記電力低減装置は、複数の機器を備えており、
前記使用電力変更部は、前記電力低減装置に含まれる機器である電力低減機器の前記第一期間での稼働を停止させることで、前記第一期間での使用電力を低減する
請求項２に記載の実装ライン電力制御装置。
【請求項４】
前記目標値取得部は、さらに、前記第一期間とは異なる第二期間での前記第二実装ラインのデマンド電力の目標値を取得し、
前記使用電力変更部は、さらに、前記電力低減装置の使用電力を前記第二期間に増加させても前記第二期間での前記第二実装ラインのデマンド電力が目標値を超えない場合、前記電力低減装置の使用電力を前記第二期間に増加させる
請求項２又は３に記載の実装ライン電力制御装置。
【請求項５】
前記電力低減装置は、部品が実装された基板を熱することにより部品を当該基板上に固定させる第一リフロー炉であり、
前記使用電力変更部は、前記第一リフロー炉の起動時刻を、前記第一期間内の時刻から、前記第一リフロー炉を有する実装ラインとは異なる実装ラインが有する第二リフロー炉が停止している期間に含まれる前記第二期間内の時刻に変更することで、前記第一期間での前記第一リフロー炉の使用電力を低減し、前記第二期間での前記第一リフロー炉の使用可能な使用電力を増加させる
請求項４に記載の実装ライン電力制御装置。
【請求項６】
前記目標値変更部は、
前記第一期間が、電気料金単価が割安の割安時間帯に含まれるか否かを判断し、
前記第一期間が前記割安時間帯に含まれないと判断した場合は、前記第二実装ラインの前記第一期間でのデマンド電力の目標値を低減し、
前記第一期間が前記割安時間帯に含まれると判断した場合は、前記第二実装ラインの前記第一期間でのデマンド電力の目標値を低減しない
請求項１〜５のいずれか１項に記載の実装ライン電力制御装置。
【請求項７】
前記目標値変更部は、さらに、前記第一実装ラインの前記第一期間でのデマンド電力の目標値が低減された場合に、前記第一実装ラインと異なる第三実装ラインの前記第一期間でのデマンド電力の目標値を増加させる
請求項１〜６のいずれか１項に記載の実装ライン電力制御装置。
【請求項８】
部品が実装された実装基板を生産するための実装基板生産装置を有する実装ラインを複数備える実装ライン群の使用電力を制御する実装ライン電力制御方法であって、
前記実装ラインごとに、第一期間での使用電力量を示すデマンド電力の目標値を取得する目標値取得ステップと、
前記実装ラインごとの電力を使用する優先度である第一優先度を取得する優先度取得ステップと、
前記実装ライン群に含まれる第一実装ラインの前記第一期間でのデマンド電力が目標値を超える場合に、前記実装ライン群に含まれ前記第一実装ラインよりも前記第一優先度が低い第二実装ラインの前記第一期間でのデマンド電力の目標値を低減する目標値変更ステップと、
前記第二実装ラインの前記第一期間でのデマンド電力が低減後の目標値を超えないように、前記第二実装ラインが有する実装基板生産装置の前記第一期間での使用電力を低減する使用電力変更ステップと
を含む実装ライン電力制御方法。
【請求項９】
部品が実装された実装基板を生産するための実装基板生産装置を有する実装ラインを複数備える実装ライン群の使用電力を制御するためのプログラムであって、
前記実装ラインごとに、第一期間での使用電力量を示すデマンド電力の目標値を取得する目標値取得ステップと、
前記実装ラインごとの電力を使用する優先度である第一優先度を取得する優先度取得ステップと、
前記実装ライン群に含まれる第一実装ラインの前記第一期間でのデマンド電力が目標値を超える場合に、前記実装ライン群に含まれ前記第一実装ラインよりも前記第一優先度が低い第二実装ラインの前記第一期間でのデマンド電力の目標値を低減する目標値変更ステップと、
前記第二実装ラインの前記第一期間でのデマンド電力が低減後の目標値を超えないように、前記第二実装ラインが有する実装基板生産装置の前記第一期間での使用電力を低減する使用電力変更ステップと
をコンピュータに実行させるプログラム。
【発明の詳細な説明】
【技術分野】
【０００１】
本発明は、実装基板を生産するための実装基板生産装置を有する実装ラインを複数備える実装ライン群の使用電力を制御する実装ライン電力制御装置及び実装ライン電力制御方法に関する。
【背景技術】
【０００２】
部品が実装された実装基板を生産するための工場には、実装基板を生産するための部品実装装置などの実装基板生産装置を複数備えた実装ラインが配置されている。このため、当該工場には、電力を使用する多くの実装基板生産装置が備えられ、多くの電力が消費される。【０００３】
そこで、従来、実装基板生産装置の使用電力の増加を抑制するための電力制御装置が提案されている。例えば、特許文献１には、実装基板生産装置の使用電力の増加を抑制するために当該使用電力を監視する装置が開示されている。また、特許文献２には、空調設備や冷凍設備、照明設備などについて時間差制御を行うことで使用電力の増加を抑制する装置が開示されている。また、特許文献３には、実装ラインに含まれる部品実装装置において、目標生産時間を超えないように使用ビーム数を決定することにより、消費電力を考慮した制御を行う装置が開示されている。
【先行技術文献】
【特許文献】
【０００４】
【特許文献１】特開２００６−２７７１３１号公報
【特許文献２】特開２００１−１９７６６１号公報
【特許文献３】特開２００６−２６１６４６号公報
【発明の概要】
【発明が解決しようとする課題】
【０００５】
ここで、実装基板を生産する工場には、並行して複数の実装基板を生産するために、複数の実装ラインが配置される場合がある。そして、上記従来の電力制御装置は、これら複数の実装ライン全体での使用電力の増加を抑制するための装置ではない。【０００６】
つまり、上記特許文献２に開示された装置は、空調設備や冷凍設備、照明設備などの単体の設備を制御して使用電力の増加を抑制するための装置である。また、上記特許文献３に開示された装置は、１つの実装ラインにおける実装基板生産装置の使用電力の増加を抑制するための装置である。また、上記特許文献１に開示された装置は、使用電力を監視する装置であり、使用電力の増加を抑制するための装置ではない。【０００７】
このように、上記従来の電力制御装置は、複数の実装ライン全体での使用電力の増加を抑制するための装置ではなく、当該使用電力の増加を効率的に抑制することができない場合があるという問題がある。【０００８】
そこで、本発明は、このような問題に鑑みてなされたものであり、複数の実装ライン全体での使用電力の増加を効率的に抑制することができる実装ライン電力制御装置及び実装ライン電力制御方法を提供することを目的とする。
【課題を解決するための手段】
【０００９】
上記目的を達成するために、本発明に係る実装ライン電力制御装置は、部品が実装された実装基板を生産するための実装基板生産装置を有する実装ラインを複数備える実装ライン群の使用電力を制御する実装ライン電力制御装置であって、前記実装ラインごとに、第一期間での使用電力量を示すデマンド電力の目標値を取得する目標値取得部と、前記実装ラインごとの電力を使用する優先度である第一優先度を取得する優先度取得部と、前記実装ライン群に含まれる第一実装ラインの前記第一期間でのデマンド電力が目標値を超える場合に、前記実装ライン群に含まれ前記第一実装ラインよりも前記第一優先度が低い第二実装ラインの前記第一期間でのデマンド電力の目標値を低減する目標値変更部と、前記第二実装ラインの前記第一期間でのデマンド電力が低減後の目標値を超えないように、前記第二実装ラインが有する実装基板生産装置の前記第一期間での使用電力を低減する使用電力変更部とを備える。【００１０】
これによれば、第一期間において、第一実装ラインのデマンド電力が目標値を超える場合に、第二実装ラインのデマンド電力の目標値を低減して当該低減後の目標値を超えないように、第二実装ラインが有する実装基板生産装置の使用電力を低減する。これにより、複数の実装ライン間で使用電力を増減させることで、複数の実装ライン全体での使用電力の増加を効率的に抑制することができる。【００１１】
また、好ましくは、前記第二実装ラインは、複数の前記実装基板生産装置を有しており、前記優先度取得部は、前記実装基板生産装置ごとの電力を使用する優先度である第二優先度を取得し、前記使用電力変更部は、前記第二実装ラインの前記第一期間でのデマンド電力が低減後の目標値以下になるまで、前記第二実装ラインに含まれる複数の実装基板生産装置のうち、前記第二優先度が低い順に、前記第一期間での使用電力が低減される実装基板生産装置である電力低減装置を決定し、決定した前記電力低減装置の前記第一期間での使用電力を低減する。また、前記電力低減装置は、複数の機器を備えており、前記使用電力変更部は、前記電力低減装置に含まれる機器である電力低減機器の前記第一期間での稼働を停止させることで、前記第一期間での使用電力を低減する。【００１２】
これによれば、第一期間において、第二実装ラインのデマンド電力が低減後の目標値以下になるまで、第二優先度が低い順に電力低減装置を決定し、決定した電力低減装置に含まれる機器の稼働を停止させることで、使用電力を低減する。これにより、優先度が低い実装基板生産装置から順に使用電力を低減することで、複数の実装ライン全体での使用電力の増加を効率的に抑制することができる。【００１３】
また、好ましくは、前記目標値取得部は、さらに、前記第一期間とは異なる第二期間での前記第二実装ラインのデマンド電力の目標値を取得し、前記使用電力変更部は、さらに、前記電力低減装置の使用電力を前記第二期間に増加させても前記第二期間での前記第二実装ラインのデマンド電力が目標値を超えない場合、前記電力低減装置の使用電力を前記第二期間に増加させる。【００１４】
これによれば、電力低減装置の使用電力を第二期間に増加させてもデマンド電力が目標値を超えない場合、電力低減装置の使用電力を第二期間に増加させる。これにより、目標値を超えることなく、第一期間に行う予定であった電力低減装置の動作を第二期間に行うことができ、複数の実装ライン全体での使用電力の増加を効率的に抑制することができる。【００１５】
また、好ましくは、前記目標値変更部は、前記第一期間が、電気料金単価が割安の割安時間帯に含まれるか否かを判断し、前記第一期間が前記割安時間帯に含まれないと判断した場合は、前記第二実装ラインの前記第一期間でのデマンド電力の目標値を低減し、前記第一期間が前記割安時間帯に含まれると判断した場合は、前記第二実装ラインの前記第一期間でのデマンド電力の目標値を低減しない。【００１６】
これによれば、第一期間が割安時間帯に含まれない場合は、第二実装ラインのデマンド電力の目標値を低減し、第一期間が割安時間帯に含まれる場合は、第二実装ラインのデマンド電力の目標値を低減しない。つまり、割安時間帯以外の時間帯においては、工場内で多くの電力が使用されるので、第二実装ラインのデマンド電力の目標値を低減する。また、工場内での使用電力が低減する割安時間帯においては、第二実装ラインのデマンド電力の目標値の低減は行わない。これにより、時間帯ごとに切り替えることで、複数の実装ライン全体での使用電力の増加を効率的に抑制することができる。【００１７】
また、好ましくは、前記目標値変更部は、さらに、前記第一実装ラインの前記第一期間でのデマンド電力の目標値が低減された場合に、前記第一実装ラインと異なる第三実装ラインの前記第一期間でのデマンド電力の目標値を増加させる。【００１８】
これによれば、第一期間において、第一実装ラインのデマンド電力の目標値が低減された場合に、第一実装ラインと異なる実装ラインのデマンド電力の目標値を増加させる。これにより、複数の実装ライン間で使用電力を増減させることで、複数の実装ライン全体での使用電力の増加を効率的に抑制することができる。【００１９】
なお、本発明は、このような実装ライン電力制御装置として実現することができるだけでなく、実装ライン電力制御装置に含まれる処理部が行う特徴的な処理をステップとする実装ライン電力制御方法としても実現することができる。また、実装ライン電力制御方法に含まれる特徴的な処理をコンピュータに実行させるプログラムや集積回路として実現したりすることもできる。そして、そのようなプログラムは、ＣＤ−ＲＯＭ等の記録媒体及びインターネット等の伝送媒体を介して流通させることができるのは言うまでもない。
【発明の効果】
【００２０】
本発明により、実装基板を生産するための実装基板生産装置を有する複数の実装ラインの使用電力を制御する実装ライン電力制御装置において、複数の実装ライン全体での使用電力の増加を効率的に抑制することができる。
【図面の簡単な説明】
【００２１】
【図１】図１は、本発明の実施の形態に係る実装ライン電力制御装置を備える実装ライン群の構成を示す外観図である。
【図２】図２は、本実施の形態に係る実装ライン電力制御装置の機能構成を示すブロック図である。
【図３】図３は、デマンド電力とその目標値を説明するための図である。
【図４】図４は、本実施の形態に係る実装ライン電力制御装置の動作の一例を示すフローチャートである。
【図５】図５は、本実施の形態に係る実装ライン電力制御装置が行う処理を説明する図である。
【図６】図６は、本実施の形態に係る実装ライン電力制御装置が行う処理を説明する図である。
【図７】図７は、本実施の形態に係る使用電力変更部が、第二実装ラインの実装基板生産装置の第一期間での使用電力を低減する処理の一例を示すフローチャートである。
【図８】図８は、本実施の形態に係る使用電力変更部が、第二実装ラインの実装基板生産装置の第一期間での使用電力を低減する処理を説明する図である。
【図９】図９は、本実施の形態に係る使用電力変更部が、第二実装ラインの実装基板生産装置の第一期間での使用電力を低減する処理を説明する図である。
【図１０】図１０は、本実施の形態に係る使用電力変更部が、第二実装ラインの実装基板生産装置の第一期間での使用電力を低減する処理を説明する図である。
【発明を実施するための形態】
【００２２】
以下、図面を参照しながら、本発明の実施の形態に係る実装ライン電力制御装置について説明する。
【００２３】
図１は、本発明の実施の形態に係る実装ライン電力制御装置１００を備える実装ライン群１０の構成を示す外観図である。
【００２４】
同図に示すように、実装ライン群１０は、実装ライン１１、実装ライン１２及び実装ライン電力制御装置１００を備えている。なお、ここでは、実装ライン群１０は、実装ライン１１及び実装ライン１２の２つの実装ラインを備えていることとしたが、３つ以上の実装ラインを備えていてもよい。
【００２５】
実装ライン１１は、上流側の実装基板生産装置から下流側の実装基板生産装置に基板を搬送し、基板に電子部品などの部品が実装された実装基板を生産する生産ラインである。実装ライン１１は、実装基板生産装置として、２台の部品実装装置２００、印刷装置３００、３台の検査装置４００、接着剤塗布装置５００及びリフロー炉６００を備えている。
【００２６】
部品実装装置２００は、部品を基板に実装する装置である。具体的には、複数の部品実装装置２００は、上流から下流に向けて基板を送り、当該基板に部品を実装していく。つまり、まず上流側の部品実装装置２００が基板を受け取り、その基板に対して部品を実装する。そして、その部品が実装された基板が下流側の部品実装装置２００に送り出される。このようにして、各部品実装装置２００に基板が順次送られ、部品が実装される。
【００２７】
印刷装置３００は、基板をストックするストッカ（図示せず）から基板２０を受け取り、ペースト状のはんだであるソルダーペーストを基板２０の表面にスクリーン印刷するスクリーン印刷機である。
【００２８】
接着剤塗布装置５００は、基板上に接着剤を塗布する装置である。
【００２９】
リフロー炉６００は、部品が実装された基板２０を熱することにより、はんだ等を溶かした後、部品を基板上に固定させる装置である。
【００３０】
検査装置４００は、基板上の状態を検査する装置である。具体的には、検査装置４００は、印刷装置３００によるはんだ付け状態の外観を検査する検査装置４００と、部品実装装置２００による基板上の部品の装着状態を検査する検査装置４００と、リフロー炉６００による熱処理後の基板上の状態を検査する検査装置４００との３台の装置が備えられている。
【００３１】
また、部品が実装され検査装置４００で検査された実装基板２０ａは、基板をストックするストッカ（図示せず）に送られる。
【００３２】
また、実装ライン１２は、実装ライン１１と同様の構成を備え、同様の機能を有しているので、詳細な説明は省略する。
【００３３】
実装ライン電力制御装置１００は、実装ライン群１０の使用電力を制御する制御装置である。つまり、実装ライン電力制御装置１００は、実装ライン１１及び実装ライン１２の使用電力を制御する装置である。なお、実装ライン電力制御装置１００の詳細については、後述する。
【００３４】
次に、実装ライン電力制御装置１００の構成について、詳細に説明する。
【００３５】
図２は、本実施の形態に係る実装ライン電力制御装置１００の機能構成を示すブロック図である。
【００３６】
実装ライン電力制御装置１００は、実装ライン群１０の使用電力を制御するコンピュータである。なお、この実装ライン電力制御装置１００は、パーソナルコンピュータ等の汎用のコンピュータシステムがプログラムを実行することによって実現されてもよいし、専用のコンピュータシステムによって実現されてもよい。
【００３７】
同図に示すように、実装ライン電力制御装置１００は、目標値取得部１１０、優先度取得部１２０、目標値変更部１３０及び使用電力変更部１４０を備えている。
【００３８】
目標値取得部１１０は、実装ラインごとに、所定の期間ごとの使用電力量を示すデマンド電力の目標値を取得する。つまり、目標値取得部１１０は、実装ライン１１及び実装ライン１２のデマンド電力の目標値を取得する。なお、実装ライン群１０が３つ以上の実装ラインを備えていれば、目標値取得部１１０は、当該３つ以上の実装ラインのデマンド電力の目標値を取得する。
【００３９】
なお、当該目標値は、ユーザによって予め定められていてもよいし、目標値取得部１１０が算出することにしてもよい。また、当該目標値は、所定の期間（例えば、１シフト、１日、１週間、１ヶ月等）ごとに異なる値であってもよいし、同じ値であってもよい。
【００４０】
ここで、デマンド電力とその目標値について、詳細に説明する。
【００４１】
図３は、デマンド電力とその目標値を説明するための図である。
【００４２】
同図に示す曲線Ｘは、現在電力Ｐｔ（ｋＷ）の変化を示しており、経過時間ｔ（分）における現在電力Ｐｔは、
現在電力Ｐｔ＝（経過時間ｔでの電力量−経過時間０での電力量）×２  （式１）で算出される。
【００４３】
そして、経過時間ｔがデマンド時限Ｔｄのときの現在電力Ｐｔがデマンド電力である。ここで、デマンド時限Ｔｄ＝３０（分）である。つまり、デマンド電力は、３０分ごとの使用電力量を示す値であり、３０分ごとに計測される。
【００４４】
また、直線Ｙは、現在電力Ｐｔの目標値である基準電力Ｐｙ（ｋＷ）の変化を示しており、経過時間ｔにおける基準電力Ｐｙは、
基準電力Ｐｙ＝目標電力Ｐａ×経過時間ｔ÷３０    （式２）
で算出される。
【００４５】
つまり、経過時間ｔがデマンド時限Ｔｄのときの基準電力Ｐｙが目標電力Ｐａ（ｋＷ）である。なお、目標電力Ｐａは、デマンド電力が計測される３０分ごとに定められている。
【００４６】
また、経過時間ｔにおける現在電力Ｐｔが、経過時間ｔにおける基準電力Ｐｙ以上となった場合に、デマンド警報が発生される。つまり、デマンド電力が目標電力Ｐａを超えると予測される場合に、デマンド警報が発生される。なお、ロック時間ｔｒは警報抑制期間であり、経過時間ｔがロック時間ｔｒ内であれば当該デマンド警報は発生されないか、発生されても復旧される。
【００４７】
図２において、優先度取得部１２０は、実装ラインごとの電力を使用する優先度である第一優先度と、実装基板生産装置ごとの電力を使用する優先度である第二優先度とを取得する。つまり、実装ライン１１及び１２のうち、第一優先度が高い実装ラインほど、優先的に電力を使用できる。また、実装基板生産装置２００〜６００のうち、第二優先度が高い実装基板生産装置ほど、優先的に電力を使用できる。
【００４８】
なお、当該第一優先度及び第二優先度は、ユーザによって予め定められていてもよいし、優先度取得部１２０が算出することにしてもよい。また、当該第一優先度及び第二優先度は、所定の期間（例えば、１シフト、１日、１週間、１ヶ月等）ごとに異なる値であってもよいし、同じ値であってもよい。
【００４９】
目標値変更部１３０は、実装ライン群１０に含まれる実装ラインである第一実装ラインの第一期間でのデマンド電力が目標値を超える場合に、実装ライン群１０に含まれ当該第一実装ラインよりも実装ラインごとの電力を使用する優先度である第一優先度が低い第二実装ラインの第一期間でのデマンド電力の目標値を低減する。ここで、第一期間とは、デマンド電力が計測される複数の期間のうちのいずれかの期間であり、目標値取得部１１０がデマンド電力の目標値を取得する所定の期間（例えば、１シフト、１日、１週間、１ヶ月等）のうちのいずれかの期間である。
【００５０】
例えば、第一期間において、実装ライン１１の方が実装ライン１２よりも実装ラインごとの電力を使用する優先度である第一優先度が高く、実装ライン１１のデマンド電力が目標値を超えると予測される場合には、目標値変更部１３０は、実装ライン１２のデマンド電力の目標値を低減する。
【００５１】
ここで、目標値変更部１３０は、第一期間が、電気料金単価が割安の割安時間帯に含まれるか否かを判断し、第一期間が割安時間帯に含まれないと判断した場合は、第二実装ラインの第一期間でのデマンド電力の目標値を低減し、第一期間が割安時間帯に含まれると判断した場合は、第二実装ラインの第一期間でのデマンド電力の目標値を低減しない。ここで、割安時間帯とは、例えば、深夜時間帯である。つまり、目標値変更部１３０は、昼間電力モードと深夜電力モードの２つの電力モードを自動で切り換える機能を有している。
【００５２】
さらに、目標値変更部１３０は、第一実装ラインの第一期間でのデマンド電力の目標値が低減された場合に、第一実装ラインと異なる実装ラインである第三実装ラインの第一期間でのデマンド電力の目標値を増加させることができる。
【００５３】
使用電力変更部１４０は、第二実装ラインの第一期間でのデマンド電力が低減後の目標値を超えないように、第二実装ラインが有する実装基板生産装置の第一期間での使用電力を低減する。
【００５４】
具体的には、使用電力変更部１４０は、第二実装ラインの第一期間でのデマンド電力が低減後の目標値以下になるまで、第二実装ラインに含まれる複数の実装基板生産装置のうち、実装基板生産装置ごとの電力を使用する優先度である第二優先度が低い順に、第一期間での使用電力が低減される実装基板生産装置である電力低減装置を決定し、決定した電力低減装置の第一期間での使用電力を低減する。さらに具体的には、使用電力変更部１４０は、電力低減装置に含まれる機器である電力低減機器の第一期間での稼働を停止させることで、第一期間での使用電力を低減する。
【００５５】
また、使用電力変更部１４０は、さらに、電力低減装置の使用電力を第二期間に増加させても第二期間での第二実装ラインのデマンド電力が目標値を超えない場合、電力低減装置の使用電力を第二期間に増加させる。ここで、第二期間とは、デマンド電力が計測される複数の期間のうちの第一期間とは異なるいずれかの期間であり、目標値取得部１１０がデマンド電力の目標値を取得する所定の期間（例えば、１シフト、１日、１週間、１ヶ月等）のうちの第一期間とは異なるいずれかの期間である。
【００５６】
次に、実装ライン電力制御装置１００が行う処理について、説明する。
【００５７】
図４は、本実施の形態に係る実装ライン電力制御装置１００の動作の一例を示すフローチャートである。
【００５８】
図５及び図６は、本実施の形態に係る実装ライン電力制御装置１００が行う処理を説明する図である。
【００５９】
図４に示すように、まず、目標値取得部１１０は、実装ラインごとのデマンド電力の目標値を取得する（Ｓ１０２）。例えば、図５の（ａ）に示すように、実装ライン群１０が３つの実装ライン（同図に示す実装ライン１、実装ライン２及び実装ライン３）を備えている場合には、目標値取得部１１０は、当該３つの実装ラインのデマンド電力の目標値を取得する。同図では、目標値取得部１１０は、実装ライン１、実装ライン２及び実装ライン３のそれぞれのデマンド電力の目標値として、１０、２０及び３０を取得する。
【００６０】
また、優先度取得部１２０は、第一優先度を取得する（Ｓ１０４）。例えば、図５の（ａ）に示すように、優先度取得部１２０は、実装ライン１、実装ライン２及び実装ライン３のそれぞれの第一優先度として、「低」、「中」及び「高」を取得する。
【００６１】
次に、目標値変更部１３０は、実装ライン群１０に含まれる実装ラインである第一実装ラインの第一期間でのデマンド電力が目標値を超えるか否かを判断する（Ｓ１０６）。具体的には、図３に示されたように、目標値変更部１３０は、第一実装ラインの第一期間内の経過時間ｔでの現在電力Ｐｔが基準電力Ｐｙ以上となった場合に、デマンド電力が目標電力Ｐａを超えると判断する。
【００６２】
例えば、図５の（ｂ）に示すように、実装ライン３のデマンド電力が目標値を超えると予想される場合、目標値変更部１３０は、実装ライン３を第一実装ラインとして、第一実装ラインのデマンド電力が目標値を超えると判断する。
【００６３】
そして、目標値変更部１３０は、第一実装ラインのデマンド電力が目標値を超えると判断した場合（Ｓ１０６でＹＥＳ）は、第一期間が割安時間帯に含まれるか否かを判断する（Ｓ１０８）。
【００６４】
そして、目標値変更部１３０は、第一期間が割安時間帯に含まれないと判断した場合（Ｓ１０８でＮＯ）は、第二実装ラインの第一期間でのデマンド電力の目標値を低減する（Ｓ１１０）。
【００６５】
例えば、図５の（ｃ）に示すように、目標値変更部１３０は、実装ライン１を第二実装ラインとして、実装ライン１のデマンド電力の目標値を低減する。具体的には、目標値変更部１３０は、実装ライン１のデマンド電力の目標値の減少量が、実装ライン１のデマンド電力の増加量と同じ値になるように、実装ライン１のデマンド電力の目標値を低減する。
【００６６】
次に、使用電力変更部１４０は、第二実装ラインの第一期間でのデマンド電力が低減後の目標値を超えないように、第二実装ラインが有する実装基板生産装置の第一期間での使用電力を低減する（Ｓ１１２）。
【００６７】
具体的には、図５の（ｃ）に示すように、使用電力変更部１４０は、実装ライン１のデマンド電力が低減後の目標値以下になるように、第二実装ラインである実装ライン１の実装基板生産装置の使用電力を低減する。なお、この使用電力変更部１４０が、第二実装ラインの実装基板生産装置の第一期間での使用電力を低減する処理についての詳細な説明は、後述する。
【００６８】
また、目標値変更部１３０は、第一期間が割安時間帯に含まれると判断した場合（Ｓ１０８でＹＥＳ）は、第二実装ラインの第一期間でのデマンド電力の目標値を低減せずに、処理を終了する。
【００６９】
また、目標値変更部１３０は、第一実装ラインのデマンド電力が目標値以下であると判断した場合（Ｓ１０６でＮＯ）は、第一実装ラインの第一期間でのデマンド電力の目標値が低減されたか否かを判断する（Ｓ１１４）。
【００７０】
例えば、図６の（ａ）に示すように、実装ライン１が休止しており、デマンド電力が０である場合は、図６の（ｂ）に示すように、目標値変更部１３０は、実装ライン１のデマンド電力の目標値を低減させる。この場合、目標値変更部１３０は、実装ライン１を第一実装ラインとして、第一実装ラインのデマンド電力の目標値が低減されたと判断する。
【００７１】
そして、目標値変更部１３０は、第一実装ラインの第一期間でのデマンド電力の目標値が低減されたと判断した場合（Ｓ１１４でＹＥＳ）は、第一実装ラインと異なる実装ラインである第三実装ラインの第一期間でのデマンド電力の目標値を増加させる（Ｓ１１６）。
【００７２】
具体的には、図６の（ｃ）に示すように、目標値変更部１３０は、実装ライン２及び実装ライン３を第三実装ラインとして、実装ライン２及び実装ライン３のデマンド電力の目標値を増加させる。ここで、目標値変更部１３０は、実装ライン２及び実装ライン３のデマンド電力の目標値の増加量が、実装ライン１のデマンド電力の減少量と同じ値になるように、実装ライン２及び実装ライン３のデマンド電力の目標値を増加させる。
【００７３】
そして、使用電力変更部１４０は、必要に応じて、第三実装ラインが有する実装基板生産装置の第一期間での使用電力を増加する（Ｓ１１８）。これにより、図６の（ｃ）に示すように、使用電力変更部１４０は、実装ライン２及び実装ライン３のデマンド電力を、増加後の目標値を超えないように増加させる。
【００７４】
また、目標値変更部１３０は、第一実装ラインの第一期間でのデマンド電力の目標値が低減されなかったと判断した場合（Ｓ１１４でＮＯ）は、第三実装ラインの第一期間でのデマンド電力の目標値を増加させることなく、処理を終了する。
【００７５】
以上により、実装ライン電力制御装置１００が行う処理は、終了する。
【００７６】
次に、使用電力変更部１４０が、第二実装ラインの実装基板生産装置の第一期間での使用電力を低減する処理（図４のＳ１１２）について、説明する。
【００７７】
図７は、本実施の形態に係る使用電力変更部１４０が、第二実装ラインの実装基板生産装置の第一期間での使用電力を低減する処理の一例を示すフローチャートである。
【００７８】
図８〜図１０は、本実施の形態に係る使用電力変更部１４０が、第二実装ラインの実装基板生産装置の第一期間での使用電力を低減する処理を説明する図である。
【００７９】
図７に示すように、まず、優先度取得部１２０が、第二実装ラインに含まれる実装基板生産装置ごとの第二優先度を取得する（Ｓ２０２）。例えば、図８の（ａ）に示すように、優先度取得部１２０は、実装基板生産装置２００〜６００のそれぞれの第二優先度を取得する。
【００８０】
そして、使用電力変更部１４０は、第二実装ラインの第一期間でのデマンド電力が低減後の目標値以下になるまで、以下の処理を繰り返し行う（ループ１：Ｓ２０４〜Ｓ２１０）。
【００８１】
まず、使用電力変更部１４０は、第二実装ラインに含まれる複数の実装基板生産装置のうち、第二優先度が低い順に、第一期間での使用電力が低減される実装基板生産装置である電力低減装置を決定する（Ｓ２０６）。例えば、図８の（ａ）に示すように、使用電力変更部１４０は、第二優先度が「低」の実装基板生産装置（同図では、１台の部品実装装置２００と３台の検査装置４００）を、電力低減装置と決定する。
【００８２】
そして、使用電力変更部１４０は、電力低減装置の第一期間での使用電力を低減する（Ｓ２０８）。具体的には、使用電力変更部１４０は、電力低減装置に含まれる機器である電力低減機器の第一期間での稼働を停止させることで、第一期間での使用電力を低減する。
【００８３】
具体的には、図８の（ｂ）に示すように、使用電力変更部１４０は、電力低減装置（同図の斜線で示された実装基板生産装置）に含まれる機器である電力低減機器の第一期間での稼働を停止させる。
【００８４】
ここで、電力低減機器とは、例えば、実装基板生産装置が部品実装装置２００であれば、装着ヘッドや、部品を装着ヘッドに供給するフィーダなどである。つまり、使用電力変更部１４０は、例えばフィーダを駆動させるリニアモータ等への電力供給を停止させることで、当該モータの待機電力を低減させる。
【００８５】
また、使用電力変更部１４０は、第二実装ラインの第一期間でのデマンド電力が目標値以下になっていない場合は、さらに、第二優先度が低い順に電力低減装置を決定し（Ｓ２０６）、決定した電力低減装置の第一期間での使用電力を低減する（Ｓ２０８）。
【００８６】
例えば、図８の（ｃ）に示すように、使用電力変更部１４０は、第二優先度が「中」の実装基板生産装置（同図では、１台の部品実装装置２００と接着剤塗布装置５００とリフロー炉６００）を、電力低減装置と決定し、当該電力低減機器の第一期間での稼働を停止させる。
【００８７】
このように、使用電力変更部１４０は、連続して基板２０を投入する場合（図８の（ａ））、１設備おきに基板２０が存在する場合（図８の（ｂ））、及び実装ライン上で１枚の基板２０が存在する場合（図８の（ｃ））のように、実装ライン上での基板２０の枚数を制限することで、使用電力を低減する。
【００８８】
そして、使用電力変更部１４０は、第二実装ラインの第一期間でのデマンド電力が目標値以下になった場合は、電力低減装置の使用電力を第二期間に増加させても第二期間での第二実装ラインのデマンド電力が目標値を超えないか否かを判断する（Ｓ２１２）。
【００８９】
使用電力変更部１４０は、電力低減装置の使用電力を第二期間に増加させても第二期間での第二実装ラインのデマンド電力が目標値を超えないと判断した場合（Ｓ２１２でＹＥＳ）、電力低減装置の使用電力を第二期間に増加させる（Ｓ２１４）。
【００９０】
ここで、使用電力変更部１４０が電力低減装置の使用電力を第二期間に増加させる処理について、図９及び図１０を用いて具体的に説明する。なお、以下では、電力低減機器がリフロー炉６００であるとして、説明を行う。
【００９１】
図９は、リフロー炉６００が起動停止を行う場合の使用電力を示すグラフである。
【００９２】
同図に示すように、リフロー炉６００は、時刻０〜時刻Ｔ１の間は、使用電力Ｐ２の電力を使用して通常運転を行っている。そして、リフロー炉６００は、時刻Ｔ１で停止される場合、使用電力Ｐ１の電力まで使用電力が低減する。そして、リフロー炉６００は、時刻Ｔ２で起動される場合、使用電力Ｐ３の電力まで使用電力が増加する。その後、リフロー炉６００は、時刻Ｔ３からは安定して、使用電力Ｐ２の電力で通常運転を行う。
【００９３】
このように、リフロー炉６００が起動停止を行う場合、時刻Ｔ１〜時刻Ｔ２の間に低減される使用電力量Ａが、時刻Ｔ２〜時刻Ｔ３の間に増加される使用電力量Ｂよりも大きい場合、使用電力量は、全体として低減される。つまり、この場合、リフロー炉６００が起動停止を行うことにより、使用電力量が低減される。
【００９４】
しかし、時刻Ｔ２〜時刻Ｔ３の間に、リフロー炉６００を起動するための使用電力が増加されるため、デマンド電力が目標値を超えることで、他の実装ラインのデマンド電力の目標値を低減する必要が生じる場合がある。
【００９５】
図１０は、複数の実装ラインのリフロー炉６００が起動停止を行う場合の使用電力を示すグラフである。
【００９６】
同図の（ａ）に示すように、時刻Ｔ２〜時刻Ｔ３の間に、３つのリフロー炉Ｒ１〜Ｒ３が起動されるように予定されている。ここで、リフロー炉Ｒ１〜Ｒ３は、それぞれ異なる実装ラインに備えられている実装基板生産装置である。そして、リフロー炉Ｒ１を有する実装ラインが他の実装ラインよりも第一優先度が高い場合、リフロー炉Ｒ１が優先的に時刻Ｔ２〜時刻Ｔ３の間に起動される。
【００９７】
そして、時刻Ｔ２〜時刻Ｔ３の間にリフロー炉Ｒ１が起動される場合、デマンド電力が目標値を超えることで、リフロー炉Ｒ２、Ｒ３を、時刻Ｔ２〜時刻Ｔ３とは異なる時刻に起動させる必要が生じる場合がある。
【００９８】
この場合、同図の（ｂ）に示すように、使用電力変更部１４０は、リフロー炉Ｒ２、Ｒ３の起動時刻を、時刻Ｔ２〜時刻Ｔ３の間の時刻から、リフロー炉Ｒ１が停止している時刻Ｔ１〜時刻Ｔ２の間の時刻に変更する。これにより、使用電力変更部１４０は、時刻Ｔ２〜時刻Ｔ３の間のリフロー炉Ｒ２、Ｒ３の使用電力を低減することができる。
【００９９】
なお、時刻Ｔ１〜時刻Ｔ２の間のリフロー炉Ｒ２、Ｒ３の使用電力は増加するが、時刻Ｔ１〜時刻Ｔ２の間はリフロー炉Ｒ１が停止しており、使用電力は低減されているため、ピーク電力を平準化して、リフロー炉Ｒ２、Ｒ３を起動することができる。
【０１００】
図７において、使用電力変更部１４０は、電力低減装置の使用電力を第二期間に増加させると第二期間での第二実装ラインのデマンド電力が目標値を超えると判断した場合（Ｓ２１２でＮＯ）は、処理を終了する。
【０１０１】
以上により、使用電力変更部１４０が第二実装ラインの実装基板生産装置の第一期間での使用電力を低減する処理（図４のＳ１１２）は、終了する。
【０１０２】
これらのように、本発明に係る実装ライン電力制御装置１００によれば、第一期間において、第一実装ラインのデマンド電力が目標値を超える場合に、第二実装ラインのデマンド電力の目標値を低減して当該低減後の目標値を超えないように、第二実装ラインが有する実装基板生産装置の使用電力を低減する。これにより、複数の実装ライン間で使用電力を増減させることで、複数の実装ライン全体での使用電力の増加を効率的に抑制することができる。
【０１０３】
また、第一期間において、第二実装ラインのデマンド電力が低減後の目標値以下になるまで、第二優先度が低い順に電力低減装置を決定し、決定した電力低減装置に含まれる機器の稼働を停止させることで、使用電力を低減する。これにより、優先度が低い実装基板生産装置から順に使用電力を低減することができる。
【０１０４】
また、電力低減装置の使用電力を第二期間に増加させてもデマンド電力が目標値を超えない場合、電力低減装置の使用電力を第二期間に増加させる。これにより、目標値を超えることなく、第一期間に行う予定であった電力低減装置の動作を第二期間に行うことができる。
【０１０５】
また、第一期間が割安時間帯に含まれない場合は、第二実装ラインのデマンド電力の目標値を低減し、第一期間が割安時間帯に含まれる場合は、第二実装ラインのデマンド電力の目標値を低減しない。つまり、割安時間帯以外の時間帯においては、工場内で多くの電力が使用されるので、第二実装ラインのデマンド電力の目標値を低減する。また、工場内での使用電力が低減する割安時間帯においては、第二実装ラインのデマンド電力の目標値の低減は行わない。これにより、時間帯ごとに電力の使用モードを切り替えることができる。
【０１０６】
また、第一期間において、第一実装ラインのデマンド電力の目標値が低減された場合に、第一実装ラインと異なる実装ラインのデマンド電力の目標値を増加させる。これにより、複数の実装ライン間で使用電力を増減させることで、複数の実装ライン全体での使用電力の増加を効率的に抑制することができる。
【０１０７】
以上、本発明に係る実装ライン電力制御装置１００について、上記実施の形態を用いて説明したが、本発明は、これに限定されるものではない。
【０１０８】
つまり、今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【０１０９】
例えば、本実施の形態では、優先度取得部１２０は、第一優先度と第二優先度とを取得し、使用電力変更部１４０は、第一優先度と第二優先度とから電力低減装置を決定して電力低減装置の使用電力を低減することとした。しかし、優先度取得部１２０は第二優先度を取得しなくともよく、使用電力変更部１４０は、第一優先度のみから電力低減装置を決定して電力低減装置の使用電力を低減することにしてもよい。
【０１１０】
また、本実施の形態では、目標値変更部１３０は、第一期間が割安時間帯に含まれるか否かを判断して、判断結果に基づいて、第二実装ラインの第一期間でのデマンド電力の目標値を低減することとした。しかし、目標値変更部１３０は、第一期間が割安時間帯に含まれるか否かにかかわらず、第二実装ラインの第一期間でのデマンド電力の目標値を低減することにしてもよい。
【０１１１】
また、本実施の形態では、目標値変更部１３０は、第一実装ラインの第一期間でのデマンド電力の目標値が低減された場合に、第三実装ラインの第一期間でのデマンド電力の目標値を増加させることとした。しかし、目標値変更部１３０は、第一実装ラインの第一期間でのデマンド電力の目標値が低減されても、第三実装ラインの第一期間でのデマンド電力の目標値を増加させないようにしてもよい。
【０１１２】
また、本実施の形態では、目標値変更部１３０は、実装ラインごとにデマンド電力が目標値を超えるか否かを判断した。ここで、この判断を正確に行うためには、実装ラインに含まれる機器の正確な消費電力を把握し、デマンド電力を正確に算出することが必要である。このため、目標値変更部１３０は、当該判断が正確に行われるように、各機器の消費電力の測定誤差のフィードバックを繰り返し行い、デマンド電力を補正していくことにしてもよい。
【０１１３】
また、本実施の形態では、目標値変更部１３０は、第二実装ラインのデマンド電力の目標値の減少量が、第一実装ラインのデマンド電力の増加量と同じ値になるように、第二実装ラインのデマンド電力の目標値を低減することとした。しかし、第二実装ラインのデマンド電力の目標値の減少量は限定されず、第一実装ラインのデマンド電力の増加量より多くてもよいし、少なくてもよい。
【０１１４】
また、本実施の形態では、目標値変更部１３０は、第三実装ラインのデマンド電力の目標値の増加量が、第一実装ラインのデマンド電力の減少量と同じ値になるように、第三実装ラインのデマンド電力の目標値を増加させることとした。しかし、第三実装ラインのデマンド電力の目標値の増加量は限定されず、第一実装ラインのデマンド電力の減少量より多くてもよいし、少なくてもよい。
【０１１５】
また、本実施の形態では、使用電力変更部１４０は、リフロー炉６００の起動時刻を変更して、デマンド電力が目標値を超えないように、使用電力を低減することとした。しかし、使用電力変更部１４０は、モータの起動時刻を変更して、デマンド電力が目標値を超えないように、使用電力を低減することにしてもよい。この場合、実装ライン間でモータの起動と停止をずらすことにより、モータの起動電力とモータによる回生電力とを相殺させることができ、使用電力を低減することができる。
【０１１６】
また、本発明は、このような実装ライン電力制御装置１００として実現することができるだけでなく、実装ライン電力制御装置１００に含まれる処理部が行う特徴的な処理をステップとする実装ライン電力制御方法としても実現することができる。また、実装ライン電力制御方法に含まれる特徴的な処理をコンピュータに実行させるプログラムや集積回路として実現したりすることもできる。そして、そのようなプログラムは、ＣＤ−ＲＯＭ等の記録媒体及びインターネット等の伝送媒体を介して流通させることができるのは言うまでもない。
【０１１７】
また、本発明は、実装ライン以外の工場内の他の大きな負荷変動設備の電力使用量に変動があった場合における、実装ライン全体のデマンド電力の目標値の増減に対応させても良い。
【産業上の利用可能性】
【０１１８】
本発明は、複数の実装ラインの使用電力を制御する実装ライン電力制御装置に適用でき、特に、複数の実装ライン全体での使用電力の増加を効率的に抑制することができる実装ライン電力制御装置等に適用できる。
【符号の説明】
【０１１９】
１０    実装ライン群
１１、１２  実装ライン
２０    基板
２０ａ  実装基板
１００  実装ライン電力制御装置
１１０  目標値取得部
１２０  優先度取得部
１３０  目標値変更部
１４０  使用電力変更部
２００  部品実装装置（実装基板生産装置）
３００  印刷装置（実装基板生産装置）
４００  検査装置（実装基板生産装置）
５００  接着剤塗布装置（実装基板生産装置）
６００  リフロー炉（実装基板生産装置）
【図１】
2011121934.tif 000003
【図２】
2011121934.tif 000004
【図３】
2011121934.tif 000005
【図４】
2011121934.tif 000006
【図５】
2011121934.tif 000007
【図６】
2011121934.tif 000008
【図７】
2011121934.tif 000009
【図８】
2011121934.tif 000010
【図９】
2011121934.tif 000011
【図１０】
2011121934.tif 000012
【手続補正書】
【提出日】平成23年6月23日(2011.6.23)
【手続補正１】
【補正対象書類名】明細書
【補正対象項目名】全文
【補正方法】変更
【補正の内容】
【発明の詳細な説明】
【技術分野】
【０００１】
本発明は、実装基板を生産するための実装基板生産装置を有する実装ラインを複数備える実装ライン群の使用電力を制御する実装ライン電力制御装置及び実装ライン電力制御方法に関する。
【背景技術】
【０００２】
部品が実装された実装基板を生産するための工場には、実装基板を生産するための部品実装装置などの実装基板生産装置を複数備えた実装ラインが配置されている。このため、当該工場には、電力を使用する多くの実装基板生産装置が備えられ、多くの電力が消費される。
【０００３】
そこで、従来、実装基板生産装置の使用電力の増加を抑制するための電力制御装置が提案されている。例えば、特許文献１には、実装基板生産装置の使用電力の増加を抑制するために当該使用電力を監視する装置が開示されている。また、特許文献２には、空調設備や冷凍設備、照明設備などについて時間差制御を行うことで使用電力の増加を抑制する装置が開示されている。また、特許文献３には、実装ラインに含まれる部品実装装置において、目標生産時間を超えないように使用ビーム数を決定することにより、消費電力を考慮した制御を行う装置が開示されている。
【先行技術文献】
【特許文献】
【０００４】
【特許文献１】特開２００６−２７７１３１号公報
【特許文献２】特開２００１−１９７６６１号公報
【特許文献３】特開２００６−２６１６４６号公報
【発明の概要】
【発明が解決しようとする課題】
【０００５】
ここで、実装基板を生産する工場には、並行して複数の実装基板を生産するために、複数の実装ラインが配置される場合がある。そして、上記従来の電力制御装置は、これら複数の実装ライン全体での使用電力の増加を抑制するための装置ではない。
【０００６】
つまり、上記特許文献２に開示された装置は、空調設備や冷凍設備、照明設備などの単体の設備を制御して使用電力の増加を抑制するための装置である。また、上記特許文献３に開示された装置は、１つの実装ラインにおける実装基板生産装置の使用電力の増加を抑制するための装置である。また、上記特許文献１に開示された装置は、使用電力を監視する装置であり、使用電力の増加を抑制するための装置ではない。
【０００７】
このように、上記従来の電力制御装置は、複数の実装ライン全体での使用電力の増加を抑制するための装置ではなく、当該使用電力の増加を効率的に抑制することができない場合があるという問題がある。
【０００８】
そこで、本発明は、このような問題に鑑みてなされたものであり、複数の実装ライン全体での使用電力の増加を効率的に抑制することができる実装ライン電力制御装置及び実装ライン電力制御方法を提供することを目的とする。
【課題を解決するための手段】
【０００９】
上記目的を達成するために、本発明に係る実装ライン電力制御装置は、部品が実装された実装基板を生産するための実装基板生産装置を有する実装ラインを複数備える実装ライン群の使用電力を制御する実装ライン電力制御装置であって、前記実装ラインごとに、第一期間での使用電力量を示すデマンド電力の目標値を取得する目標値取得部と、前記実装ラインごとの電力を使用する優先度である第一優先度を取得する優先度取得部と、前記実装ライン群に含まれる第一実装ラインの前記第一期間でのデマンド電力が目標値を超える場合に、前記実装ライン群に含まれ前記第一実装ラインよりも前記第一優先度が低い第二実装ラインの前記第一期間でのデマンド電力の目標値を低減する目標値変更部と、前記第二実装ラインの前記第一期間でのデマンド電力が低減後の目標値を超えないように、前記第二実装ラインが有する実装基板生産装置の前記第一期間での使用電力を低減する使用電力変更部とを備える。
【００１０】
これによれば、第一期間において、第一実装ラインのデマンド電力が目標値を超える場合に、第二実装ラインのデマンド電力の目標値を低減して当該低減後の目標値を超えないように、第二実装ラインが有する実装基板生産装置の使用電力を低減する。これにより、複数の実装ライン間で使用電力を増減させることで、複数の実装ライン全体での使用電力の増加を効率的に抑制することができる。
【００１１】
また、好ましくは、前記第二実装ラインは、複数の前記実装基板生産装置を有しており、前記優先度取得部は、前記実装基板生産装置ごとの電力を使用する優先度である第二優先度を取得し、前記使用電力変更部は、前記第二実装ラインの前記第一期間でのデマンド電力が低減後の目標値以下になるまで、前記第二実装ラインに含まれる複数の実装基板生産装置のうち、前記第二優先度が低い順に、前記第一期間での使用電力が低減される実装基板生産装置である電力低減装置を決定し、決定した前記電力低減装置の前記第一期間での使用電力を低減する。また、前記電力低減装置は、複数の機器を備えており、前記使用電力変更部は、前記電力低減装置に含まれる機器である電力低減機器の前記第一期間での稼働を停止させることで、前記第一期間での使用電力を低減する。
【００１２】
これによれば、第一期間において、第二実装ラインのデマンド電力が低減後の目標値以下になるまで、第二優先度が低い順に電力低減装置を決定し、決定した電力低減装置に含まれる機器の稼働を停止させることで、使用電力を低減する。これにより、優先度が低い実装基板生産装置から順に使用電力を低減することで、複数の実装ライン全体での使用電力の増加を効率的に抑制することができる。
【００１３】
また、好ましくは、前記目標値取得部は、さらに、前記第一期間とは異なる第二期間での前記第二実装ラインのデマンド電力の目標値を取得し、前記使用電力変更部は、さらに、前記電力低減装置の使用電力を前記第二期間に増加させても前記第二期間での前記第二実装ラインのデマンド電力が目標値を超えない場合、前記電力低減装置の使用電力を前記第二期間に増加させる。
【００１４】
これによれば、電力低減装置の使用電力を第二期間に増加させてもデマンド電力が目標値を超えない場合、電力低減装置の使用電力を第二期間に増加させる。これにより、目標値を超えることなく、第一期間に行う予定であった電力低減装置の動作を第二期間に行うことができ、複数の実装ライン全体での使用電力の増加を効率的に抑制することができる。
【００１５】
また、好ましくは、前記目標値変更部は、前記第一期間が、電気料金単価が割安の割安時間帯に含まれるか否かを判断し、前記第一期間が前記割安時間帯に含まれないと判断した場合は、前記第二実装ラインの前記第一期間でのデマンド電力の目標値を低減し、前記第一期間が前記割安時間帯に含まれると判断した場合は、前記第二実装ラインの前記第一期間でのデマンド電力の目標値を低減しない。
【００１６】
これによれば、第一期間が割安時間帯に含まれない場合は、第二実装ラインのデマンド電力の目標値を低減し、第一期間が割安時間帯に含まれる場合は、第二実装ラインのデマンド電力の目標値を低減しない。つまり、割安時間帯以外の時間帯においては、工場内で多くの電力が使用されるので、第二実装ラインのデマンド電力の目標値を低減する。また、工場内での使用電力が低減する割安時間帯においては、第二実装ラインのデマンド電力の目標値の低減は行わない。これにより、時間帯ごとに切り替えることで、複数の実装ライン全体での使用電力の増加を効率的に抑制することができる。
【００１７】
また、好ましくは、前記目標値変更部は、さらに、前記第一実装ラインの前記第一期間でのデマンド電力の目標値が低減された場合に、前記第一実装ラインと異なる第三実装ラインの前記第一期間でのデマンド電力の目標値を増加させる。
【００１８】
これによれば、第一期間において、第一実装ラインのデマンド電力の目標値が低減された場合に、第一実装ラインと異なる実装ラインのデマンド電力の目標値を増加させる。これにより、複数の実装ライン間で使用電力を増減させることで、複数の実装ライン全体での使用電力の増加を効率的に抑制することができる。
【００１９】
なお、本発明は、このような実装ライン電力制御装置として実現することができるだけでなく、実装ライン電力制御装置に含まれる処理部が行う特徴的な処理をステップとする実装ライン電力制御方法としても実現することができる。また、実装ライン電力制御方法に含まれる特徴的な処理をコンピュータに実行させるプログラムや集積回路として実現したりすることもできる。そして、そのようなプログラムは、ＣＤ−ＲＯＭ等の記録媒体及びインターネット等の伝送媒体を介して流通させることができるのは言うまでもない。
【発明の効果】
【００２０】
本発明により、実装基板を生産するための実装基板生産装置を有する複数の実装ラインの使用電力を制御する実装ライン電力制御装置において、複数の実装ライン全体での使用電力の増加を効率的に抑制することができる。
【図面の簡単な説明】
【００２１】
【図１】図１は、本発明の実施の形態に係る実装ライン電力制御装置を備える実装ライン群の構成を示す外観図である。
【図２】図２は、本実施の形態に係る実装ライン電力制御装置の機能構成を示すブロック図である。
【図３】図３は、デマンド電力とその目標値を説明するための図である。
【図４】図４は、本実施の形態に係る実装ライン電力制御装置の動作の一例を示すフローチャートである。
【図５】図５は、本実施の形態に係る実装ライン電力制御装置が行う処理を説明する図である。
【図６】図６は、本実施の形態に係る実装ライン電力制御装置が行う処理を説明する図である。
【図７】図７は、本実施の形態に係る使用電力変更部が、第二実装ラインの実装基板生産装置の第一期間での使用電力を低減する処理の一例を示すフローチャートである。
【図８】図８は、本実施の形態に係る使用電力変更部が、第二実装ラインの実装基板生産装置の第一期間での使用電力を低減する処理を説明する図である。
【図９】図９は、本実施の形態に係る使用電力変更部が、第二実装ラインの実装基板生産装置の第一期間での使用電力を低減する処理を説明する図である。
【図１０】図１０は、本実施の形態に係る使用電力変更部が、第二実装ラインの実装基板生産装置の第一期間での使用電力を低減する処理を説明する図である。
【発明を実施するための形態】
【００２２】
以下、図面を参照しながら、本発明の実施の形態に係る実装ライン電力制御装置について説明する。
【００２３】
図１は、本発明の実施の形態に係る実装ライン電力制御装置１００を備える実装ライン群１０の構成を示す外観図である。
【００２４】
同図に示すように、実装ライン群１０は、実装ライン１１、実装ライン１２及び実装ライン電力制御装置１００を備えている。なお、ここでは、実装ライン群１０は、実装ライン１１及び実装ライン１２の２つの実装ラインを備えていることとしたが、３つ以上の実装ラインを備えていてもよい。
【００２５】
実装ライン１１は、上流側の実装基板生産装置から下流側の実装基板生産装置に基板を搬送し、基板に電子部品などの部品が実装された実装基板を生産する生産ラインである。実装ライン１１は、実装基板生産装置として、２台の部品実装装置２００、印刷装置３００、３台の検査装置４００、接着剤塗布装置５００及びリフロー炉６００を備えている。
【００２６】
部品実装装置２００は、部品を基板に実装する装置である。具体的には、複数の部品実装装置２００は、上流から下流に向けて基板を送り、当該基板に部品を実装していく。つまり、まず上流側の部品実装装置２００が基板を受け取り、その基板に対して部品を実装する。そして、その部品が実装された基板が下流側の部品実装装置２００に送り出される。このようにして、各部品実装装置２００に基板が順次送られ、部品が実装される。
【００２７】
印刷装置３００は、基板をストックするストッカ（図示せず）から基板２０を受け取り、ペースト状のはんだであるソルダーペーストを基板２０の表面にスクリーン印刷するスクリーン印刷機である。
【００２８】
接着剤塗布装置５００は、基板上に接着剤を塗布する装置である。
【００２９】
リフロー炉６００は、部品が実装された基板２０を熱することにより、はんだ等を溶かした後、部品を基板上に固定させる装置である。
【００３０】
検査装置４００は、基板上の状態を検査する装置である。具体的には、検査装置４００は、印刷装置３００によるはんだ付け状態の外観を検査する検査装置４００と、部品実装装置２００による基板上の部品の装着状態を検査する検査装置４００と、リフロー炉６００による熱処理後の基板上の状態を検査する検査装置４００との３台の装置が備えられている。
【００３１】
また、部品が実装され検査装置４００で検査された実装基板２０ａは、基板をストックするストッカ（図示せず）に送られる。
【００３２】
また、実装ライン１２は、実装ライン１１と同様の構成を備え、同様の機能を有しているので、詳細な説明は省略する。
【００３３】
実装ライン電力制御装置１００は、実装ライン群１０の使用電力を制御する制御装置である。つまり、実装ライン電力制御装置１００は、実装ライン１１及び実装ライン１２の使用電力を制御する装置である。なお、実装ライン電力制御装置１００の詳細については、後述する。
【００３４】
次に、実装ライン電力制御装置１００の構成について、詳細に説明する。
【００３５】
図２は、本実施の形態に係る実装ライン電力制御装置１００の機能構成を示すブロック図である。
【００３６】
実装ライン電力制御装置１００は、実装ライン群１０の使用電力を制御するコンピュータである。なお、この実装ライン電力制御装置１００は、パーソナルコンピュータ等の汎用のコンピュータシステムがプログラムを実行することによって実現されてもよいし、専用のコンピュータシステムによって実現されてもよい。
【００３７】
同図に示すように、実装ライン電力制御装置１００は、目標値取得部１１０、優先度取得部１２０、目標値変更部１３０及び使用電力変更部１４０を備えている。
【００３８】
目標値取得部１１０は、実装ラインごとに、所定の期間ごとの使用電力量を示すデマンド電力の目標値を取得する。つまり、目標値取得部１１０は、実装ライン１１及び実装ライン１２のデマンド電力の目標値を取得する。なお、実装ライン群１０が３つ以上の実装ラインを備えていれば、目標値取得部１１０は、当該３つ以上の実装ラインのデマンド電力の目標値を取得する。
【００３９】
なお、当該目標値は、ユーザによって予め定められていてもよいし、目標値取得部１１０が算出することにしてもよい。また、当該目標値は、所定の期間（例えば、１シフト、１日、１週間、１ヶ月等）ごとに異なる値であってもよいし、同じ値であってもよい。
【００４０】
ここで、デマンド電力とその目標値について、詳細に説明する。
【００４１】
図３は、デマンド電力とその目標値を説明するための図である。
【００４２】
同図に示す曲線Ｘは、現在電力Ｐｔ（ｋＷ）の変化を示しており、経過時間ｔ（分）における現在電力Ｐｔは、
現在電力Ｐｔ＝（経過時間ｔでの電力量−経過時間０での電力量）×２  （式１）で算出される。
【００４３】
そして、経過時間ｔがデマンド時限Ｔｄのときの現在電力Ｐｔがデマンド電力である。ここで、デマンド時限Ｔｄ＝３０（分）である。つまり、デマンド電力は、３０分ごとの使用電力量を示す値であり、３０分ごとに計測される。
【００４４】
また、直線Ｙは、現在電力Ｐｔの目標値である基準電力Ｐｙ（ｋＷ）の変化を示しており、経過時間ｔにおける基準電力Ｐｙは、
基準電力Ｐｙ＝目標電力Ｐａ×経過時間ｔ÷３０    （式２）
で算出される。
【００４５】
つまり、経過時間ｔがデマンド時限Ｔｄのときの基準電力Ｐｙが目標電力Ｐａ（ｋＷ）である。なお、目標電力Ｐａは、デマンド電力が計測される３０分ごとに定められている。
【００４６】
また、経過時間ｔにおける現在電力Ｐｔが、経過時間ｔにおける基準電力Ｐｙ以上となった場合に、デマンド警報が発生される。つまり、デマンド電力が目標電力Ｐａを超えると予測される場合に、デマンド警報が発生される。なお、ロック時間ｔｒは警報抑制期間であり、経過時間ｔがロック時間ｔｒ内であれば当該デマンド警報は発生されないか、発生されても復旧される。
【００４７】
図２において、優先度取得部１２０は、実装ラインごとの電力を使用する優先度である第一優先度と、実装基板生産装置ごとの電力を使用する優先度である第二優先度とを取得する。つまり、実装ライン１１及び１２のうち、第一優先度が高い実装ラインほど、優先的に電力を使用できる。また、実装基板生産装置２００〜６００のうち、第二優先度が高い実装基板生産装置ほど、優先的に電力を使用できる。
【００４８】
なお、当該第一優先度及び第二優先度は、ユーザによって予め定められていてもよいし、優先度取得部１２０が算出することにしてもよい。また、当該第一優先度及び第二優先度は、所定の期間（例えば、１シフト、１日、１週間、１ヶ月等）ごとに異なる値であってもよいし、同じ値であってもよい。
【００４９】
目標値変更部１３０は、実装ライン群１０に含まれる実装ラインである第一実装ラインの第一期間でのデマンド電力が目標値を超える場合に、実装ライン群１０に含まれ当該第一実装ラインよりも実装ラインごとの電力を使用する優先度である第一優先度が低い第二実装ラインの第一期間でのデマンド電力の目標値を低減する。ここで、第一期間とは、デマンド電力が計測される複数の期間のうちのいずれかの期間であり、目標値取得部１１０がデマンド電力の目標値を取得する所定の期間（例えば、１シフト、１日、１週間、１ヶ月等）のうちのいずれかの期間である。
【００５０】
例えば、第一期間において、実装ライン１１の方が実装ライン１２よりも実装ラインごとの電力を使用する優先度である第一優先度が高く、実装ライン１１のデマンド電力が目標値を超えると予測される場合には、目標値変更部１３０は、実装ライン１２のデマンド電力の目標値を低減する。
【００５１】
ここで、目標値変更部１３０は、第一期間が、電気料金単価が割安の割安時間帯に含まれるか否かを判断し、第一期間が割安時間帯に含まれないと判断した場合は、第二実装ラインの第一期間でのデマンド電力の目標値を低減し、第一期間が割安時間帯に含まれると判断した場合は、第二実装ラインの第一期間でのデマンド電力の目標値を低減しない。ここで、割安時間帯とは、例えば、深夜時間帯である。つまり、目標値変更部１３０は、昼間電力モードと深夜電力モードの２つの電力モードを自動で切り換える機能を有している。
【００５２】
さらに、目標値変更部１３０は、第一実装ラインの第一期間でのデマンド電力の目標値が低減された場合に、第一実装ラインと異なる実装ラインである第三実装ラインの第一期間でのデマンド電力の目標値を増加させることができる。
【００５３】
使用電力変更部１４０は、第二実装ラインの第一期間でのデマンド電力が低減後の目標値を超えないように、第二実装ラインが有する実装基板生産装置の第一期間での使用電力を低減する。
【００５４】
具体的には、使用電力変更部１４０は、第二実装ラインの第一期間でのデマンド電力が低減後の目標値以下になるまで、第二実装ラインに含まれる複数の実装基板生産装置のうち、実装基板生産装置ごとの電力を使用する優先度である第二優先度が低い順に、第一期間での使用電力が低減される実装基板生産装置である電力低減装置を決定し、決定した電力低減装置の第一期間での使用電力を低減する。さらに具体的には、使用電力変更部１４０は、電力低減装置に含まれる機器である電力低減機器の第一期間での稼働を停止させることで、第一期間での使用電力を低減する。
【００５５】
また、使用電力変更部１４０は、さらに、電力低減装置の使用電力を第二期間に増加させても第二期間での第二実装ラインのデマンド電力が目標値を超えない場合、電力低減装置の使用電力を第二期間に増加させる。ここで、第二期間とは、デマンド電力が計測される複数の期間のうちの第一期間とは異なるいずれかの期間であり、目標値取得部１１０がデマンド電力の目標値を取得する所定の期間（例えば、１シフト、１日、１週間、１ヶ月等）のうちの第一期間とは異なるいずれかの期間である。
【００５６】
次に、実装ライン電力制御装置１００が行う処理について、説明する。
【００５７】
図４は、本実施の形態に係る実装ライン電力制御装置１００の動作の一例を示すフローチャートである。
【００５８】
図５及び図６は、本実施の形態に係る実装ライン電力制御装置１００が行う処理を説明する図である。
【００５９】
図４に示すように、まず、目標値取得部１１０は、実装ラインごとのデマンド電力の目標値を取得する（Ｓ１０２）。例えば、図５の（ａ）に示すように、実装ライン群１０が３つの実装ライン（同図に示す実装ライン１、実装ライン２及び実装ライン３）を備えている場合には、目標値取得部１１０は、当該３つの実装ラインのデマンド電力の目標値を取得する。同図では、目標値取得部１１０は、実装ライン１、実装ライン２及び実装ライン３のそれぞれのデマンド電力の目標値として、１０、２０及び３０を取得する。
【００６０】
また、優先度取得部１２０は、第一優先度を取得する（Ｓ１０４）。例えば、図５の（ａ）に示すように、優先度取得部１２０は、実装ライン１、実装ライン２及び実装ライン３のそれぞれの第一優先度として、「低」、「中」及び「高」を取得する。
【００６１】
次に、目標値変更部１３０は、実装ライン群１０に含まれる実装ラインである第一実装ラインの第一期間でのデマンド電力が目標値を超えるか否かを判断する（Ｓ１０６）。具体的には、図３に示されたように、目標値変更部１３０は、第一実装ラインの第一期間内の経過時間ｔでの現在電力Ｐｔが基準電力Ｐｙ以上となった場合に、デマンド電力が目標電力Ｐａを超えると判断する。
【００６２】
例えば、図５の（ｂ）に示すように、実装ライン３のデマンド電力が目標値を超えると予想される場合、目標値変更部１３０は、実装ライン３を第一実装ラインとして、第一実装ラインのデマンド電力が目標値を超えると判断する。
【００６３】
そして、目標値変更部１３０は、第一実装ラインのデマンド電力が目標値を超えると判断した場合（Ｓ１０６でＹＥＳ）は、第一期間が割安時間帯に含まれるか否かを判断する（Ｓ１０８）。
【００６４】
そして、目標値変更部１３０は、第一期間が割安時間帯に含まれないと判断した場合（Ｓ１０８でＮＯ）は、第二実装ラインの第一期間でのデマンド電力の目標値を低減する（Ｓ１１０）。
【００６５】
例えば、図５の（ｃ）に示すように、目標値変更部１３０は、実装ライン１を第二実装ラインとして、実装ライン１のデマンド電力の目標値を低減する。具体的には、目標値変更部１３０は、実装ライン１のデマンド電力の目標値の減少量が、実装ライン１のデマンド電力の増加量と同じ値になるように、実装ライン１のデマンド電力の目標値を低減する。
【００６６】
次に、使用電力変更部１４０は、第二実装ラインの第一期間でのデマンド電力が低減後の目標値を超えないように、第二実装ラインが有する実装基板生産装置の第一期間での使用電力を低減する（Ｓ１１２）。
【００６７】
具体的には、図５の（ｃ）に示すように、使用電力変更部１４０は、実装ライン１のデマンド電力が低減後の目標値以下になるように、第二実装ラインである実装ライン１の実装基板生産装置の使用電力を低減する。なお、この使用電力変更部１４０が、第二実装ラインの実装基板生産装置の第一期間での使用電力を低減する処理についての詳細な説明は、後述する。
【００６８】
また、目標値変更部１３０は、第一期間が割安時間帯に含まれると判断した場合（Ｓ１０８でＹＥＳ）は、第二実装ラインの第一期間でのデマンド電力の目標値を低減せずに、処理を終了する。
【００６９】
また、目標値変更部１３０は、第一実装ラインのデマンド電力が目標値以下であると判断した場合（Ｓ１０６でＮＯ）は、第一実装ラインの第一期間でのデマンド電力の目標値が低減されたか否かを判断する（Ｓ１１４）。
【００７０】
例えば、図６の（ａ）に示すように、実装ライン１が休止しており、デマンド電力が０である場合は、図６の（ｂ）に示すように、目標値変更部１３０は、実装ライン１のデマンド電力の目標値を低減させる。この場合、目標値変更部１３０は、実装ライン１を第一実装ラインとして、第一実装ラインのデマンド電力の目標値が低減されたと判断する。
【００７１】
そして、目標値変更部１３０は、第一実装ラインの第一期間でのデマンド電力の目標値が低減されたと判断した場合（Ｓ１１４でＹＥＳ）は、第一実装ラインと異なる実装ラインである第三実装ラインの第一期間でのデマンド電力の目標値を増加させる（Ｓ１１６）。
【００７２】
具体的には、図６の（ｃ）に示すように、目標値変更部１３０は、実装ライン２及び実装ライン３を第三実装ラインとして、実装ライン２及び実装ライン３のデマンド電力の目標値を増加させる。ここで、目標値変更部１３０は、実装ライン２及び実装ライン３のデマンド電力の目標値の増加量が、実装ライン１のデマンド電力の減少量と同じ値になるように、実装ライン２及び実装ライン３のデマンド電力の目標値を増加させる。
【００７３】
そして、使用電力変更部１４０は、必要に応じて、第三実装ラインが有する実装基板生産装置の第一期間での使用電力を増加する（Ｓ１１８）。これにより、図６の（ｃ）に示すように、使用電力変更部１４０は、実装ライン２及び実装ライン３のデマンド電力を、増加後の目標値を超えないように増加させる。
【００７４】
また、目標値変更部１３０は、第一実装ラインの第一期間でのデマンド電力の目標値が低減されなかったと判断した場合（Ｓ１１４でＮＯ）は、第三実装ラインの第一期間でのデマンド電力の目標値を増加させることなく、処理を終了する。
【００７５】
以上により、実装ライン電力制御装置１００が行う処理は、終了する。
【００７６】
次に、使用電力変更部１４０が、第二実装ラインの実装基板生産装置の第一期間での使用電力を低減する処理（図４のＳ１１２）について、説明する。
【００７７】
図７は、本実施の形態に係る使用電力変更部１４０が、第二実装ラインの実装基板生産装置の第一期間での使用電力を低減する処理の一例を示すフローチャートである。
【００７８】
図８〜図１０は、本実施の形態に係る使用電力変更部１４０が、第二実装ラインの実装基板生産装置の第一期間での使用電力を低減する処理を説明する図である。
【００７９】
図７に示すように、まず、優先度取得部１２０が、第二実装ラインに含まれる実装基板生産装置ごとの第二優先度を取得する（Ｓ２０２）。例えば、図８の（ａ）に示すように、優先度取得部１２０は、実装基板生産装置２００〜６００のそれぞれの第二優先度を取得する。
【００８０】
そして、使用電力変更部１４０は、第二実装ラインの第一期間でのデマンド電力が低減後の目標値以下になるまで、以下の処理を繰り返し行う（ループ１：Ｓ２０４〜Ｓ２１０）。
【００８１】
まず、使用電力変更部１４０は、第二実装ラインに含まれる複数の実装基板生産装置のうち、第二優先度が低い順に、第一期間での使用電力が低減される実装基板生産装置である電力低減装置を決定する（Ｓ２０６）。例えば、図８の（ａ）に示すように、使用電力変更部１４０は、第二優先度が「低」の実装基板生産装置（同図では、１台の部品実装装置２００と３台の検査装置４００）を、電力低減装置と決定する。
【００８２】
そして、使用電力変更部１４０は、電力低減装置の第一期間での使用電力を低減する（Ｓ２０８）。具体的には、使用電力変更部１４０は、電力低減装置に含まれる機器である電力低減機器の第一期間での稼働を停止させることで、第一期間での使用電力を低減する。
【００８３】
具体的には、図８の（ｂ）に示すように、使用電力変更部１４０は、電力低減装置（同図の斜線で示された実装基板生産装置）に含まれる機器である電力低減機器の第一期間での稼働を停止させる。
【００８４】
ここで、電力低減機器とは、例えば、実装基板生産装置が部品実装装置２００であれば、装着ヘッドや、部品を装着ヘッドに供給するフィーダなどである。つまり、使用電力変更部１４０は、例えばフィーダを駆動させるリニアモータ等への電力供給を停止させることで、当該モータの待機電力を低減させる。
【００８５】
また、使用電力変更部１４０は、第二実装ラインの第一期間でのデマンド電力が目標値以下になっていない場合は、さらに、第二優先度が低い順に電力低減装置を決定し（Ｓ２０６）、決定した電力低減装置の第一期間での使用電力を低減する（Ｓ２０８）。
【００８６】
例えば、図８の（ｃ）に示すように、使用電力変更部１４０は、第二優先度が「中」の実装基板生産装置（同図では、１台の部品実装装置２００と接着剤塗布装置５００とリフロー炉６００）を、電力低減装置と決定し、当該電力低減機器の第一期間での稼働を停止させる。
【００８７】
このように、使用電力変更部１４０は、連続して基板２０を投入する場合（図８の（ａ））、１設備おきに基板２０が存在する場合（図８の（ｂ））、及び実装ライン上で１枚の基板２０が存在する場合（図８の（ｃ））のように、実装ライン上での基板２０の枚数を制限することで、使用電力を低減する。
【００８８】
そして、使用電力変更部１４０は、第二実装ラインの第一期間でのデマンド電力が目標値以下になった場合は、電力低減装置の使用電力を第二期間に増加させても第二期間での第二実装ラインのデマンド電力が目標値を超えないか否かを判断する（Ｓ２１２）。
【００８９】
使用電力変更部１４０は、電力低減装置の使用電力を第二期間に増加させても第二期間での第二実装ラインのデマンド電力が目標値を超えないと判断した場合（Ｓ２１２でＹＥＳ）、電力低減装置の使用電力を第二期間に増加させる（Ｓ２１４）。
【００９０】
ここで、使用電力変更部１４０が電力低減装置の使用電力を第二期間に増加させる処理について、図９及び図１０を用いて具体的に説明する。なお、以下では、電力低減機器がリフロー炉６００であるとして、説明を行う。
【００９１】
図９は、リフロー炉６００が起動停止を行う場合の使用電力を示すグラフである。
【００９２】
同図に示すように、リフロー炉６００は、時刻０〜時刻Ｔ１の間は、使用電力Ｐ２の電力を使用して通常運転を行っている。そして、リフロー炉６００は、時刻Ｔ１で停止される場合、使用電力Ｐ１の電力まで使用電力が低減する。そして、リフロー炉６００は、時刻Ｔ２で起動される場合、使用電力Ｐ３の電力まで使用電力が増加する。その後、リフロー炉６００は、時刻Ｔ３からは安定して、使用電力Ｐ２の電力で通常運転を行う。
【００９３】
このように、リフロー炉６００が起動停止を行う場合、時刻Ｔ１〜時刻Ｔ２の間に低減される使用電力量Ａが、時刻Ｔ２〜時刻Ｔ３の間に増加される使用電力量Ｂよりも大きい場合、使用電力量は、全体として低減される。つまり、この場合、リフロー炉６００が起動停止を行うことにより、使用電力量が低減される。
【００９４】
しかし、時刻Ｔ２〜時刻Ｔ３の間に、リフロー炉６００を起動するための使用電力が増加されるため、デマンド電力が目標値を超えることで、他の実装ラインのデマンド電力の目標値を低減する必要が生じる場合がある。
【００９５】
図１０は、複数の実装ラインのリフロー炉６００が起動停止を行う場合の使用電力を示すグラフである。
【００９６】
同図の（ａ）に示すように、時刻Ｔ２〜時刻Ｔ３の間に、３つのリフロー炉Ｒ１〜Ｒ３が起動されるように予定されている。ここで、リフロー炉Ｒ１〜Ｒ３は、それぞれ異なる実装ラインに備えられている実装基板生産装置である。そして、リフロー炉Ｒ１を有する実装ラインが他の実装ラインよりも第一優先度が高い場合、リフロー炉Ｒ１が優先的に時刻Ｔ２〜時刻Ｔ３の間に起動される。
【００９７】
そして、時刻Ｔ２〜時刻Ｔ３の間にリフロー炉Ｒ１が起動される場合、デマンド電力が目標値を超えることで、リフロー炉Ｒ２、Ｒ３を、時刻Ｔ２〜時刻Ｔ３とは異なる時刻に起動させる必要が生じる場合がある。
【００９８】
この場合、同図の（ｂ）に示すように、使用電力変更部１４０は、リフロー炉Ｒ２、Ｒ３の起動時刻を、時刻Ｔ２〜時刻Ｔ３の間の時刻から、リフロー炉Ｒ１が停止している時刻Ｔ１〜時刻Ｔ２の間の時刻に変更する。これにより、使用電力変更部１４０は、時刻Ｔ２〜時刻Ｔ３の間のリフロー炉Ｒ２、Ｒ３の使用電力を低減することができる。
【００９９】
なお、時刻Ｔ１〜時刻Ｔ２の間のリフロー炉Ｒ２、Ｒ３の使用電力は増加するが、時刻Ｔ１〜時刻Ｔ２の間はリフロー炉Ｒ１が停止しており、使用電力は低減されているため、ピーク電力を平準化して、リフロー炉Ｒ２、Ｒ３を起動することができる。
【０１００】
図７において、使用電力変更部１４０は、電力低減装置の使用電力を第二期間に増加させると第二期間での第二実装ラインのデマンド電力が目標値を超えると判断した場合（Ｓ２１２でＮＯ）は、処理を終了する。
【０１０１】
以上により、使用電力変更部１４０が第二実装ラインの実装基板生産装置の第一期間での使用電力を低減する処理（図４のＳ１１２）は、終了する。
【０１０２】
これらのように、本発明に係る実装ライン電力制御装置１００によれば、第一期間において、第一実装ラインのデマンド電力が目標値を超える場合に、第二実装ラインのデマンド電力の目標値を低減して当該低減後の目標値を超えないように、第二実装ラインが有する実装基板生産装置の使用電力を低減する。これにより、複数の実装ライン間で使用電力を増減させることで、複数の実装ライン全体での使用電力の増加を効率的に抑制することができる。
【０１０３】
また、第一期間において、第二実装ラインのデマンド電力が低減後の目標値以下になるまで、第二優先度が低い順に電力低減装置を決定し、決定した電力低減装置に含まれる機器の稼働を停止させることで、使用電力を低減する。これにより、優先度が低い実装基板生産装置から順に使用電力を低減することができる。
【０１０４】
また、電力低減装置の使用電力を第二期間に増加させてもデマンド電力が目標値を超えない場合、電力低減装置の使用電力を第二期間に増加させる。これにより、目標値を超えることなく、第一期間に行う予定であった電力低減装置の動作を第二期間に行うことができる。
【０１０５】
また、第一期間が割安時間帯に含まれない場合は、第二実装ラインのデマンド電力の目標値を低減し、第一期間が割安時間帯に含まれる場合は、第二実装ラインのデマンド電力の目標値を低減しない。つまり、割安時間帯以外の時間帯においては、工場内で多くの電力が使用されるので、第二実装ラインのデマンド電力の目標値を低減する。また、工場内での使用電力が低減する割安時間帯においては、第二実装ラインのデマンド電力の目標値の低減は行わない。これにより、時間帯ごとに電力の使用モードを切り替えることができる。
【０１０６】
また、第一期間において、第一実装ラインのデマンド電力の目標値が低減された場合に、第一実装ラインと異なる実装ラインのデマンド電力の目標値を増加させる。これにより、複数の実装ライン間で使用電力を増減させることで、複数の実装ライン全体での使用電力の増加を効率的に抑制することができる。
【０１０７】
以上、本発明に係る実装ライン電力制御装置１００について、上記実施の形態を用いて説明したが、本発明は、これに限定されるものではない。
【０１０８】
つまり、今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【０１０９】
例えば、本実施の形態では、優先度取得部１２０は、第一優先度と第二優先度とを取得し、使用電力変更部１４０は、第一優先度と第二優先度とから電力低減装置を決定して電力低減装置の使用電力を低減することとした。しかし、優先度取得部１２０は第二優先度を取得しなくともよく、使用電力変更部１４０は、第一優先度のみから電力低減装置を決定して電力低減装置の使用電力を低減することにしてもよい。
【０１１０】
また、本実施の形態では、目標値変更部１３０は、第一期間が割安時間帯に含まれるか否かを判断して、判断結果に基づいて、第二実装ラインの第一期間でのデマンド電力の目標値を低減することとした。しかし、目標値変更部１３０は、第一期間が割安時間帯に含まれるか否かにかかわらず、第二実装ラインの第一期間でのデマンド電力の目標値を低減することにしてもよい。
【０１１１】
また、本実施の形態では、目標値変更部１３０は、第一実装ラインの第一期間でのデマンド電力の目標値が低減された場合に、第三実装ラインの第一期間でのデマンド電力の目標値を増加させることとした。しかし、目標値変更部１３０は、第一実装ラインの第一期間でのデマンド電力の目標値が低減されても、第三実装ラインの第一期間でのデマンド電力の目標値を増加させないようにしてもよい。
【０１１２】
また、本実施の形態では、目標値変更部１３０は、実装ラインごとにデマンド電力が目標値を超えるか否かを判断した。ここで、この判断を正確に行うためには、実装ラインに含まれる機器の正確な消費電力を把握し、デマンド電力を正確に算出することが必要である。このため、目標値変更部１３０は、当該判断が正確に行われるように、各機器の消費電力の測定誤差のフィードバックを繰り返し行い、デマンド電力を補正していくことにしてもよい。
【０１１３】
また、本実施の形態では、目標値変更部１３０は、第二実装ラインのデマンド電力の目標値の減少量が、第一実装ラインのデマンド電力の増加量と同じ値になるように、第二実装ラインのデマンド電力の目標値を低減することとした。しかし、第二実装ラインのデマンド電力の目標値の減少量は限定されず、第一実装ラインのデマンド電力の増加量より多くてもよいし、少なくてもよい。
【０１１４】
また、本実施の形態では、目標値変更部１３０は、第三実装ラインのデマンド電力の目標値の増加量が、第一実装ラインのデマンド電力の減少量と同じ値になるように、第三実装ラインのデマンド電力の目標値を増加させることとした。しかし、第三実装ラインのデマンド電力の目標値の増加量は限定されず、第一実装ラインのデマンド電力の減少量より多くてもよいし、少なくてもよい。
【０１１５】
また、本実施の形態では、使用電力変更部１４０は、リフロー炉６００の起動時刻を変更して、デマンド電力が目標値を超えないように、使用電力を低減することとした。しかし、使用電力変更部１４０は、モータの起動時刻を変更して、デマンド電力が目標値を超えないように、使用電力を低減することにしてもよい。この場合、実装ライン間でモータの起動と停止をずらすことにより、モータの起動電力とモータによる回生電力とを相殺させることができ、使用電力を低減することができる。
【０１１６】
また、本発明は、このような実装ライン電力制御装置１００として実現することができるだけでなく、実装ライン電力制御装置１００に含まれる処理部が行う特徴的な処理をステップとする実装ライン電力制御方法としても実現することができる。また、実装ライン電力制御方法に含まれる特徴的な処理をコンピュータに実行させるプログラムや集積回路として実現したりすることもできる。そして、そのようなプログラムは、ＣＤ−ＲＯＭ等の記録媒体及びインターネット等の伝送媒体を介して流通させることができるのは言うまでもない。
【０１１７】
また、本発明は、実装ライン以外の工場内の他の大きな負荷変動設備の電力使用量に変動があった場合における、実装ライン全体のデマンド電力の目標値の増減に対応させても良い。
【産業上の利用可能性】
【０１１８】
本発明は、複数の実装ラインの使用電力を制御する実装ライン電力制御装置に適用でき、特に、複数の実装ライン全体での使用電力の増加を効率的に抑制することができる実装ライン電力制御装置等に適用できる。
【符号の説明】
【０１１９】
１０    実装ライン群
１１、１２  実装ライン
２０    基板
２０ａ  実装基板
１００  実装ライン電力制御装置
１１０  目標値取得部
１２０  優先度取得部
１３０  目標値変更部
１４０  使用電力変更部
２００  部品実装装置（実装基板生産装置）
３００  印刷装置（実装基板生産装置）
４００  検査装置（実装基板生産装置）
５００  接着剤塗布装置（実装基板生産装置）
６００  リフロー炉（実装基板生産装置）
【手続補正２】
【補正対象書類名】特許請求の範囲
【補正対象項目名】全文
【補正方法】変更
【補正の内容】
【特許請求の範囲】
【請求項１】
部品が実装された実装基板を生産するための実装基板生産装置を有する実装ラインを複数備える実装ライン群の使用電力を制御する実装ライン電力制御装置であって、
前記実装ラインごとに、第一期間での使用電力量を示すデマンド電力の目標値を取得する目標値取得部と、
前記実装ラインごとの電力を使用する優先度である第一優先度を取得する優先度取得部と、
前記実装ライン群に含まれる第一実装ラインの前記第一期間でのデマンド電力が目標値を超える場合に、前記実装ライン群に含まれ前記第一実装ラインよりも前記第一優先度が低い第二実装ラインの前記第一期間でのデマンド電力の目標値を低減する目標値変更部と、
前記第二実装ラインの前記第一期間でのデマンド電力が低減後の目標値を超えないように、前記第二実装ラインが有する実装基板生産装置の前記第一期間での使用電力を低減する使用電力変更部と
を備える実装ライン電力制御装置。
【請求項２】
前記第二実装ラインは、複数の前記実装基板生産装置を有しており、
前記優先度取得部は、前記実装基板生産装置ごとの電力を使用する優先度である第二優先度を取得し、
前記使用電力変更部は、前記第二実装ラインの前記第一期間でのデマンド電力が低減後の目標値以下になるまで、前記第二実装ラインに含まれる複数の実装基板生産装置のうち、前記第二優先度が低い順に、前記第一期間での使用電力が低減される実装基板生産装置である電力低減装置を決定し、決定した前記電力低減装置の前記第一期間での使用電力を低減する
請求項１に記載の実装ライン電力制御装置。
【請求項３】
前記電力低減装置は、複数の機器を備えており、
前記使用電力変更部は、前記電力低減装置に含まれる機器である電力低減機器の前記第一期間での稼働を停止させることで、前記第一期間での使用電力を低減する
請求項２に記載の実装ライン電力制御装置。
【請求項４】
前記目標値取得部は、さらに、前記第一期間とは異なる第二期間での前記第二実装ラインのデマンド電力の目標値を取得し、
前記使用電力変更部は、さらに、前記電力低減装置の使用電力を前記第二期間に増加させても前記第二期間での前記第二実装ラインのデマンド電力が目標値を超えない場合、前記電力低減装置の使用電力を前記第二期間に増加させる
請求項２又は３に記載の実装ライン電力制御装置。
【請求項５】
前記電力低減装置は、部品が実装された基板を熱することにより部品を当該基板上に固定させる第一リフロー炉であり、
前記使用電力変更部は、前記第一リフロー炉の起動時刻を、前記第一期間内の時刻から、前記第一リフロー炉を有する実装ラインとは異なる実装ラインが有する第二リフロー炉が停止している期間に含まれる前記第二期間内の時刻に変更することで、前記第一期間での前記第一リフロー炉の使用電力を低減し、前記第二期間での前記第一リフロー炉の使用可能な使用電力を増加させる
請求項４に記載の実装ライン電力制御装置。
【請求項６】
前記目標値変更部は、
前記第一期間が、電気料金単価が割安の割安時間帯に含まれるか否かを判断し、
前記第一期間が前記割安時間帯に含まれないと判断した場合は、前記第二実装ラインの前記第一期間でのデマンド電力の目標値を低減し、
前記第一期間が前記割安時間帯に含まれると判断した場合は、前記第二実装ラインの前記第一期間でのデマンド電力の目標値を低減しない
請求項１〜５のいずれか１項に記載の実装ライン電力制御装置。
【請求項７】
前記目標値変更部は、さらに、前記第一実装ラインの前記第一期間でのデマンド電力の目標値が低減された場合に、前記第一実装ラインと異なる第三実装ラインの前記第一期間でのデマンド電力の目標値を増加させる
請求項１〜６のいずれか１項に記載の実装ライン電力制御装置。
【請求項８】
部品が実装された実装基板を生産するための実装基板生産装置を有する実装ラインを複数備える実装ライン群の使用電力を制御する実装ライン電力制御方法であって、
前記実装ラインごとに、第一期間での使用電力量を示すデマンド電力の目標値を取得する目標値取得ステップと、
前記実装ラインごとの電力を使用する優先度である第一優先度を取得する優先度取得ステップと、
前記実装ライン群に含まれる第一実装ラインの前記第一期間でのデマンド電力が目標値を超える場合に、前記実装ライン群に含まれ前記第一実装ラインよりも前記第一優先度が低い第二実装ラインの前記第一期間でのデマンド電力の目標値を低減する目標値変更ステップと、
前記第二実装ラインの前記第一期間でのデマンド電力が低減後の目標値を超えないように、前記第二実装ラインが有する実装基板生産装置の前記第一期間での使用電力を低減する使用電力変更ステップと
を含む実装ライン電力制御方法。
【請求項９】
部品が実装された実装基板を生産するための実装基板生産装置を有する実装ラインを複数備える実装ライン群の使用電力を制御するためのプログラムであって、
前記実装ラインごとに、第一期間での使用電力量を示すデマンド電力の目標値を取得する目標値取得ステップと、
前記実装ラインごとの電力を使用する優先度である第一優先度を取得する優先度取得ステップと、
前記実装ライン群に含まれる第一実装ラインの前記第一期間でのデマンド電力が目標値を超える場合に、前記実装ライン群に含まれ前記第一実装ラインよりも前記第一優先度が低い第二実装ラインの前記第一期間でのデマンド電力の目標値を低減する目標値変更ステップと、
前記第二実装ラインの前記第一期間でのデマンド電力が低減後の目標値を超えないように、前記第二実装ラインが有する実装基板生産装置の前記第一期間での使用電力を低減する使用電力変更ステップと
をコンピュータに実行させるプログラム。
【手続補正３】
【補正対象書類名】図面
【補正対象項目名】全図
【補正方法】変更
【補正の内容】
【図１】
2011121934.tif 000013
【図２】
2011121934.tif 000014
【図３】
2011121934.tif 000015
【図４】
2011121934.tif 000016
【図５】
2011121934.tif 000017
【図６】
2011121934.tif 000018
【図７】
2011121934.tif 000019
【図８】
2011121934.tif 000020
【図９】
2011121934.tif 000021
【図１０】
2011121934.tif 000022
【国際調査報告】
2011121934.tif 000023
2011121934.tif 000024